(57)【要約】      （修正有）【課題】表示ユニットを１８０°回動する撮影装置において、表示ユニット収納時に撮影装置内部と接続するフレキシブルプリント基板の挟み込みによる断線を防止する撮影装置を提供する。【解決手段】本体と表示ユニット２０とを接続するフレキシブルプリント基板６５とを備え、表示ユニット２０は閉状態と開状態とで移動可能に保持され、ヒンジ機構はベースプレート３１とベースプレートに回動可能に設けられるアームプレート３２を備え、フレキシブルプリント基板６５は略１８０°折り返されて配線され、表示ユニット２０とアームプレート３２の間にカバー部材２４を備え、カバー部材２４は凸部２５を備え、アームプレート３２は開口部３３を備え、表示ユニット２０が開状態から閉状態への移動時において、凸部２５が開口部３３から突出してフレキシブルプリント基板６５に当接する。【選択図】図５
2017097124.tif 000002
【特許請求の範囲】
【請求項１】
機器本体（１）と、前記機器本体の背面側にヒンジ機構（３０）を介して開閉方向に回動可能に設けられる表示ユニット（２０）と、機器本体と表示ユニットとを電気的に接続するフレキシブルプリント基板（６５）と、を備え、
表示ユニットは、撮影者側に向く閉状態と、機器本体の上方位置で表示画面が被写体側を向く開状態とで移動可能に保持され、
ヒンジ機構は、前記機器本体の背面側に設けられるベースプレート３１と、ベースプレートに開閉方向に回動軸（３１ａ）によって１８０°回動可能に設けられるアームプレート（３２）を備え、
フレキシブルプリント基板は、前記回動軸付近で１８０°折り返されて配線され、
表示ユニットとアームプレートの間にカバー部材（２４）を備え、
カバー部材（２４）は、前記回動軸付近に凸部（２５）を備え、
アームプレートには、開口部（３３）を備え、
表示ユニットが開状態から閉状態への移動時において、前記凸部が前記開口部から突出してフレキシブルプリント基板に当接する
ことを特徴とする電子機器。
【請求項２】
前記カバー部材（７０）は樹脂部材によって形成されることを特徴とする請求項１に記載の電子機器。
【請求項３】
前記機器本体（１）は、機器本体から表示ユニットに向けて突出する第二の凸部（１５）を備える、第二の凸部は樹脂部材によって形成されることを特徴とする請求項１に記載の電子機器。
【発明の詳細な説明】
【技術分野】
【０００１】
本発明は、ヒンジ機構の内部を配線する基板構成に関するものである。詳しくは、ヒンジ機構の内部を配線する可撓性を有するフレキシブルプリント基板を有する電子機器に関する。
【背景技術】
【０００２】
従来、撮像素子から出力される画像信号・画像情報等をデータファイルとして記録するデジタルカメラが広く普及している。デジタルカメラ（以降、撮影装置）は、撮影レンズで撮像素子上に光学像を結像させ、撮像素子にて光電変換して得られた画像データ、例えばＪＰＥＧ等のファイル形式の画像データに圧縮処理が施されている。
【０００３】
撮影装置の背面には、表示装置、例えば液晶ディスプレイ（ＬＣＤ）が設けられ、撮影する被写体像の確認や、撮影された画像の再生表示に用いられる。これらの撮影装置には、表示装置を有する表示ユニットが装置本体に対して揺動可能に支持されるものがある。表示ユニットを揺動することで、上下様々な角度から表示部を見ることを可能すると共に、表示ユニットをスライド動作させ上方向に１８０°回動させることによって、表示ユニットの表示部が撮影装置本体の前方側に向けられかつ、撮影装置本体の上方部より突出させられる。このような自分自身を表示部で確認しながら撮れる、いわゆる自分撮りが出来る機能を備えた撮影装置が特許文献１によって一般的に知られている。また表示ユニットの揺動機構には、回動動作のみで構成される機構が知られている。
【０００４】
図１０（ａ）は撮影装置本体１に構成された表示ユニット２０を矢印Ｅ方向に向かって回動軸Ａを中心に略１８０°回動させた状態である。表示ユニット２０はスライド動作せずに回動する構成であり、揺動機構の一部を省略することによって撮影装置本体の厚みの薄型化を図っている。
【先行技術文献】
【特許文献】
【０００５】
【特許文献１】特開２０１５−１４４３６３号公報
【発明の概要】
【発明が解決しようとする課題】
【０００６】
しかしながら、上述の構成では、図１０（ｂ）の断面図に示すように、従来のスライド動作と１８０°回動する構成に比べて、スライド量が無い分、回動後の外装カバー２２の当接箇所は回動軸Ａより下方に位置する構成となる為、フレキシブルプリント基板６５の屈曲間隔が小さくなり、矢印Ｆ方向に大きく変形する。大きく屈曲変形させられたフレキシブルプリント基板６５には折り癖部６５ａが発生し、この状態で表示ユニット２０を１８０°回動させた状態から回動前の状態に移動すると、図１０（ｃ）に示すように、折り癖部６５ａによってフレキシブルプリント基板６５が意図しない形状のまま収納されることになり、その結果表示ユニット２０の部材間に挟まれ、断線する懸念がある。
【０００７】
本発明はそのような問題を解決するためになされたものであり、表示ユニットを１８０°回動可能な撮影装置において、表示ユニットと撮影装置内部とを電気的に接続するフレキシブルプリント基板に屈曲折り癖が発生した際、表示ユニット収納時にフレキシブルプリント基板の挟み込みを簡易な構成で防止する撮影装置を提供することを目的とする。
【課題を解決するための手段】
【０００８】
上記の目的を達成するために、本発明に係る撮影装置は、
機器本体（１）と、前記機器本体の背面側にヒンジ機構（３０）を介して開閉方向に回動可能に設けられる表示ユニット（２０）と、機器本体と表示ユニットとを電気的に接続するフレキシブルプリント基板（６５）とを備え、
表示ユニットは、撮影者側に向く閉状態と、機器本体の上方位置で表示画面が被写体側を向く開状態とで移動可能に保持され、
ヒンジ機構は、前記機器本体の背面側に設けられるベースプレート３１と、ベースプレートに開閉方向に回動軸（３１ａ）によって略１８０°回動可能に設けられるアームプレート（３２）を備え、
フレキシブルプリント基板は、前記回動軸付近で略１８０°折り返されて配線され、
表示ユニットとアームプレートの間にカバー部材（２４）を備え、
カバー部材（２４）は、前記回動軸付近に凸部（２５）を備え、
アームプレートには、開口部（３３）を備え、
表示ユニットが開状態から閉状態への移動時において、前記凸部が前記開口部から突出してフレキシブルプリント基板に当接することを特徴とする。
【発明の効果】
【０００９】
本発明によれば、表示ユニットを１８０°回動する撮影装置において、表示ユニット収納時に撮影装置内部と接続するフレキシブルプリント基板の挟み込みによる断線を防止することができる。
【図面の簡単な説明】
【００１０】
【図１】撮影装置を説明する図
【図２】ヒンジ機構の分解斜視図
【図３】フレキシブルプリント基板を説明する図
【図４】表示ユニットを説明する図
【図５】表示ユニットの第一の位置を示す図
【図６】表示ユニットの第二の位置を示す図
【図７】表示ユニットの第三の位置を示す図
【図８】表示ユニットの第三の位置から第一の位置に移動する図
【図９】第二の実施例を説明する図
【図１０】従来の撮影装置を説明する図
【発明を実施するための形態】
【００１１】
以下に、本発明の好ましい実施の形態を、添付の図面に基づいて詳細に説明する。
【実施例１】
【００１２】
以下、図１から図８を参照して、本発明の第一の実施例について説明する。
【００１３】
図１は本発明の撮影装置を説明する図である。図１（ａ）は撮影装置１を前方向から見た斜視図である。
【００１４】
撮影装置１には、被写体像を撮像素子に結像する撮影光学系レンズ鏡筒ユニット２（以降鏡筒ユニット）が固定されている。鏡筒ユニット２は沈胴式のズームレンズで携帯時は撮影装置１の中に沈胴している。
【００１５】
鏡筒ユニット２の後方には、光学像を光電変換して画像データを生成するＣＣＤやＣＭＯＳイメージセンサ等の撮像素子（不図示）が実装されている。
【００１６】
また撮影装置１には、撮像素子（不図示）で生成した画像データをデジタル情報に変換する処理回路を載せた主基板（不図示）や補助基板（不図示）等が実装されている。
【００１７】
主基板には、カードＩ／Ｆ等を含む記録媒体スロットや撮像部、画像処理部、システム制御部、ＬＣＤ表示部、シリアルＩ／Ｆ、シリアル接続端子等が実装されている。補助基板には、電源供給切換回路、ＤＣ／ＤＣコンバータ、操作ＳＷ、ビデオＩ／Ｆ、ビデオ接続端子、外部電源入力端子等が実装されている。
【００１８】
撮影装置１の右上方には、撮影時に被写体の明るさが足りない時に、自動的に繰り上がり発光窓を露出させ、発光する内蔵式のストロボユニット３が設けられている。
【００１９】
撮影装置１上面にレリーズボタン４が設けられている。レリーズボタン４は２段階の押圧操作が可能となっている。レリーズボタン４に１段階の半押し操作をすると、撮影準備動作（測光動作や測距動作等）が開始される。レリーズボタン４に２段目の全押し操作をすると、被写体を撮影し、収納室（不図示）に装着した記録媒体に被写体像の画像データを記録する。レリーズボタン４の外周には、回転操作型のズームレバー５が取り付けられている。
【００２０】
ズ−ムレバー５は、操作者による操作入力を受け付ける操作手段である。このズ−ムレバー５を撮影装置１の上面から見て時計周りに回転させると、ズームレンズがTele側（画角が狭くなる方向）にズーム動作を行い、逆に反時計周りに回転させると撮影レンズがWide側（画角が広がる方向）にズーム動作を行う。ズームレバー５の横には、電源ボタン６が設けられている。また鏡筒ユニット２の上方には、撮影装置１に内蔵したマイクに音声を取り込むマイク穴７が設けられている。
【００２１】
８は、モード設定ダイヤルであり、撮影装置１に対して回転可能に支持されている。モード設定ダイヤル８の天面には、各種の撮影モードに応じた複数のマーク（不図示）が印刷されており、このマークに撮影装置の指標を合わせることで、マークに応じて静止画撮影モード、動画撮影モ−ド、撮影画像再生モ−ド等の設定を行うことができる。
【００２２】
撮影装置１の下方には、電池蓋９があり、電源となる主電池（使い切り式一次電池のほかに充電式電池も含む）を収納する収納室および撮影された被写体像を記録する記録媒体を収納する収納室を開閉可能としている。主電池は使い切り式一次電池の場合もあり充電式電池の場合もある。電池蓋９を開くことによって、収納室が開口し主電池と記録媒体が挿脱可能になる。
【００２３】
図１（ｂ）は本発明の電子撮影装置を後方向から見た斜視図を示している。
【００２４】
撮影装置１の側面に電源や信号の入出力用ジャック（不図示）が設けられジャック保護用のジャックカバー部１１で覆われている。ジャックカバー部１１を開くことで入出力用ジャックへの各種ケーブル類の抜き差しが可能となる。
【００２５】
撮影装置１背面には、液晶等の表示装置（ＬＣＤ）２１が設けられた可動式の表示ユニット２０が備えられている。表示装置２１は撮像する被写体像の確認や、撮像された画像の再生表示に用いられる。表示装置２１は、保護窓２１ｂと静電容量方式等のタッチパネル（不図示）および表示パネル（不図示）で構成されている。保護窓２１ｂは、表示パネルおよびタッチパネルをキズ・汚れから保護するパネルで、一般的には、強化ガラスが用いられ、厚さは、０．５〜１．０ｍｍ程度である。保護窓材料には、光線の透過率の高いアクリル樹脂、ポリカーボネイト等の透明樹脂を使用することも出来る。この保護窓外形は表示パネルよりも大きく、全体を保護している。
【００２６】
タッチパネル（不図示）は、静電容量方式であり、タッチパネルの配線は、透明導電膜であるＩＴＯ（Ｉｎｄｉｕｍ  Ｔｉｎ  Ｏｘｉｄｅ）によって形成される。一般にはガラスで形成されるが、透明であり、ＩＴＯのアニール等の温度に耐えることが出来ればプラスチック基板でもよい。透明樹脂としては、例えば、アクリル、ポリカーボネイト等を使用することが出来る。
【００２７】
表示ユニット２０の横には、複数の操作ボタン群１２が設けられている。複数の操作ボタン群１２の中央に配置された十字ボタンは、上下左右４箇所と中央部１箇所に対して押し込み操作が可能となっており、これらのボタン群は、例えば撮影条件の変更、表示装置の表示形態の変更、再生画面への切換えといった、機能を指示する際に利用する。
【００２８】
図２は本発明のヒンジ機構の分解斜視図である。図中、撮影装置１に対して、上方に配置されるヒンジ回転軸を回転軸Ａ（３１a）、下方に配置されるヒンジ回転軸を回転軸Ｂ（３８b）と定義する。
【００２９】
ヒンジ機構３０には、撮影装置１下側に取り付けられる左右それぞれにスタンドプレート３８，３９が配置されており、スタンドプレート３８，３９の立ち壁に回転軸孔Ｂ（３８ｂ）が設けられ、同一軸孔となっている。
【００３０】
撮影装置１と一体となるスタンドプレート３８，３９を介して、撮影装置１と表示ユニットとを揺動自在に連結するベースプレート３１と更にベースプレート３１と揺動自在に連結されるアームプレート３２が、撮影装置１背面側に重ね合わせて配設されている。
【００３１】
支持ピンＢ４０、４１は、それぞれスタンドプレート回転軸孔（３８ｂ）とクリックプレートＢ４２、４３と共に、ベースプレート３１の回転軸孔（３１ｂ）に挿通され、カシメ固定される。これにより、ベースプレート３１は、スタンドプレート３８，３９に対して、揺動自在に連結される。ベースプレート３１は、クリックプレートＢ４２、４３から回動摩擦抵抗力を受け、各回動位置において摩擦保持が可能となっている。
【００３２】
また、支持ピンＡ４６、４７は、それぞれベースプレート回転軸孔（３１ａ）と、クリックプレートＡ４８、４９と共に、アームプレート３２の回転軸孔（３２ａ）に挿通され、カシメ固定される。これにより、アームプレート３２は、ベースプレート３１に対して、揺動自在に連結される。アームプレート３２は、クリックプレートＡ４８、４９から回動摩擦抵抗力を受け、各回動位置において摩擦保持が可能となっている。またベースプレート３１、アームプレート３２、スタンドプレート３８，３９はそれぞれ金属材料をプレス加工にて形成された部品であり、揺動動作に対して高強度に構成されている。
【００３３】
図３はフレキシブルプリント基板を説明する図である。
【００３４】
基板６４は両面基板構成にて形成され、コネクタ６６ａ、６６ｂが実装されており、それぞれ表示装置２１から配線されるフレキシブルプリント基板（不図示）が接続される。表示装置２１の電気信号は基板６４上の電子回路を介した後、コネクタ６６ｃ、フレキシブルプリント基板６５の接続端子部６８ａの接続によって、フレキシブルプリント基板６５に伝達され、他端の接続端子部６８ｂと撮影装置１内に構成された不図示の主基板に接続される構成となっている。フレキシブルプリント基板６５は片面基板構成にて形成されている。
【００３５】
また、フレキシブルプリント基板６５には第一の折返し部６７ａ、第二の折返し部６７ｂ、が形成されている。さらにフレキシブルプリント基板６５には、位置決め穴６９ａ、６９ｂ、が形成される構成となっている。
【００３６】
フレキシブルプリント基板６５は、接続端子部６８ａから接続端子部６８ｂに渡り、表示装置２１の電気信号パターンが形成されている。表示装置２１から配線される一部の電気信号は差動伝送方式の為の差動信号となっている。フレキシブルプリント基板６５に形成される信号パターンの内、差動信号パターンがフレキシブルプリント基板の略中央付近に形成されており、差動信号パターンは所定の差動インピーダンス仕様を満たすようにインピーダンスのマッチングを行って形成されている。差動信号パターンの両隣りには、グランド、電源、その他の信号等の信号パターンが形成されている。
【００３７】
図４は表示ユニットを説明する図である。
【００３８】
表示装置２１は、保護窓２１ｂと静電容量方式等のタッチパネル（不図示）および表示パネル（不図示）で構成されており、表示面の反対側は板金で形成されたベゼル２１ｄが構成されている。保護窓２１ｂの外形に沿って形成されたロの字の両面テープ２３によって、外装カバー２２に接着される。ロの字の両面テープ２３の接着強度は高く、衝撃に強い方が望ましい。これは、落下等の衝撃によって、表示装置２１の浮き上がり、剥がれ、更には、表示装置２１が外装カバー２２の外に飛び出すことによる割れを防止することができる。また、表示装置２１の浮き上がることによる表示パネルに接続されたフレキシブル基板の断線もしくはコネクタ類の破損等の恐れを払拭することができる。基板６４は表示装置２１の背面側のベゼル２１ｄに配置され、不図示の両面テープによって表示装置２１に貼付固定される。
【００３９】
背面遮光カバー２４は、モールド樹脂部材によって成形された部材であり、外装カバー２２に表示装置２１の組み付け方向と逆方向から組み付けられる。また背面遮光カバー２４には、凸部２５が構成されている。
【００４０】
マグネット２７は、外装カバー２２に形成された凹部２２ａに収納され接着固定されている。マグネット２７は磁場発生手段として用いられ、撮影装置１内に配置された磁気センサー（不図示）によって、位置を検出され、表示ユニット２０の表示画面の切り替えスイッチとして機能する。
【００４１】
磁気センサーは、一般的に磁気を検出する素子として、巨大磁気抵抗（Giant Magnet Resistance:ＧＭＲ）素子や半導体ホール素子が用いられている。ＧＭＲ素子は、磁気抵抗効果を利用して主面に平行な磁場を検出するデバイスであり、磁場が強いほど電気抵抗が増加する性質を有する合金（具体的には、ニッケル、鉄、コバルトを主成分とする）からなる。このＧＭＲ素子を判定回路を組み込んでＧＭＲセンサーが形成される。本実施例では、ＧＭＲ素子にしきい値を設定して、マグネット２７の位置によって変化する磁場を検出してスイッチとして、表示ユニット２０の表示画面を切り替えている。
【００４２】
表示ユニット２０が、ローアングルポジションから揺動させていくと、所定角度以上回転されたことが検出され、表示ユニット２０の表示画面が通常状態から上下反転した画像に切り替えられる。検出された角度から１８０°程度まで揺動させた状態となるまで表示画面は上下反転を維持したまま遷移する。この状態は、撮影光学系の撮影方向と表示画面の方向が同一方向に向く為、撮影者が自分自身を撮影する、いわゆる自分撮り撮影に適している。
【００４３】
３０は前述したヒンジ機構である。ヒンジ機構３０を構成するアームプレート３２には、背面遮光カバー２４の凸部２５が挿入される開口部３３が形成されている。
【００４４】
７５は、目隠し部材である。目隠し部材７５はモールド樹脂によって成形された部材であり、孔７６ａ、７６ｂが形成されている。孔７６ａ、７６ｂは、ベースプレート３１に形成された孔３１ｄ、３１ｅにそれぞれ不図示のビス止めにて固定される。
【００４５】
上記構成にて組立てられて表示ユニット２０はヒンジ機構３０を介し、スタンドプレート３８、３９が撮影装置1の背面カバー１３に形成された取付部１３ａ、１３ｂに不図示のビス締結にて取り付けられる。背面カバー１３はアルミ等の金属材料のプレス加工によって形成された部材である。
【００４６】
また、背面カバー１３には孔１３ｃが形成されている。孔１３ｃにフレキシブルプリント基板６５が挿通され、撮影装置１内部に配線接続される構成となっている。
【００４７】
図５〜８を用いて、本実施例の表示ユニット２０がヒンジ機構によって、撮影装置１に対して、どのように揺動するのか説明する。
【００４８】
図５は表示ユニットの第一の位置を示す図である。
【００４９】
撮影装置１は、背面側に表示ユニット２０を備えている。表示ユニット２０は外装カバー２２が構成されている。外装カバー２２は表面処理もしくは、シボ加工が施されている。
【００５０】
図５（ｂ）は表示ユニットの第一の位置における断面図である。
【００５１】
フレキシブルプリント基板６５の第一の折返し部６７ａにおいて屈曲された状態で収納される。フレキシブルプリント基板６５は第一の折返し部６７ａにおいて屈曲された後、背面カバー１３の上方に位置する上部カバー１４とアームプレート３２との間を通り、ベースプレート３１と目隠し部材７５との間に挿入されて配線される。
【００５２】
図６は表示ユニットの第二の位置を示す図であり、図６（ｂ）は表示ユニットの第二の位置における断面図である。
【００５３】
表示ユニット２０の外装カバー２２の上部に指を掛け、ヒンジ機構３０の回転軸Ｂ（３８ｂ）を中心に図中矢印の方向に回動させると、撮影者本人に対して、撮影装置１を高い位置に配置するハイアングル撮影に適した傾斜とすることが出来る。表示ユニット２０の第一の位置から第二の位置への回動に伴い、フレキシブルプリント基板６５は第二の折返し部６７ｂよって屈曲される。
【００５４】
図７は表示ユニットの第三の位置を示す図である。
【００５５】
表示ユニット２０の外装カバー２２の下部に指を掛け、ヒンジ機構３０の回転軸Ａ（３１ａ）を中心に図中矢印の方向に１８０°程度まで回動させると、表示ユニット２０の表示画面が、撮影装置１の前方側に向けられる。いわゆる自分撮り撮影に適したポジションとなる。表示ユニット２０の表示画面が撮影装置１の前方側を向く際に、画面切り替えスイッチが作用して、画面に映し出された画像を反転させる機能を有している。
【００５６】
図７（ｂ）は表示ユニットの第三の位置における断面図である。
【００５７】
表示ユニット２０の第一の位置から第三の位置への回動に伴い、フレキシブルプリント基板６５は第一の折返し部６７ａによって屈曲される構成となっている。この時、表示ユニット２０の第一の位置から第三の位置への回動に伴い、外装カバー２２の当接部２２ｂが回動軸Ａよりも下方に位置し、当接部２２ｂがフレキシブルプリント基板６５の第一の折返し部６７ａ付近に当接しながら矢印Ｃ方向に押し出し、屈曲する構成となっている。フレキシブルプリント基板６５は、ベースプレート３１と目隠し部材７５との間に挟まれる挟持部７７と、外装カバー２２の当接部２２ｂが近接することにより急激に屈曲され、折り癖６５ａが発生する。
【００５８】
図８は表示ユニットの第三の位置から第一の位置に移動する図である。
【００５９】
前述した表示ユニット２０の第三の位置からヒンジ機構３０の回転軸Ａ（３１ａ）を中心に図中矢印の方向に回動すると、撮影者本人に対して撮影装置１を低い位置に配置するローアングル撮影に適した傾斜とすることが出来る。
【００６０】
図８（ｂ）は表示ユニットの第三の位置から第一の位置に回動時の断面図である。
【００６１】
表示ユニット２０の第三の位置から第一の位置への回動に伴い、フレキシブルプリント基板６５は第一の折返し部６７ａによって屈曲される。この時、フレキシブルプリント基板６５は第一の屈曲部６７ａと、ベースプレート３１と目隠し部材７５との間に挟まれる挟持部７７までの区間は、前述した外装カバー２２の当接部２２ｂによって発生した折り癖６５ａが残ったまま回動屈曲される。前述にて説明した構成により金属材料で形成されたアームプレート３２には開口部３３が形成されている。またモールド樹脂部材によって成形された背面遮光カバー２４には凸部２５が形成されており、アームプレート３２の開口部３３に凸部２５が挿入され、さらに突出した構成となっている。フレキシブルプリント基板６５に折り癖６５が発生し、意図しない屈曲変形をしていても、表示ユニット２０第三の位置から第一の位置の際、モールド樹脂部材によって成形された背面遮光カバー２４の凸部２５がフレキシブルプリント基板６５に先当たりする。さらに表示ユニット２０を回動させていくと凸部２５がフレキシブルプリント基板６５を当接しながら回動し、表示ユニット２０の第一の位置（図５の状態）に収納される構成となっている。さらに背面カバー１３と上部カバー１４の間には開口部１４ａが形成されている。また上部カバー１４を構成するインナー樹脂部材から凸部１５が形成され開口部１４ａから突出した構成となっている。
【００６２】
図５に示す表示ユニット２０の第一の位置において、背面遮光カバー２４の凸部２５と上部カバー１４から突出する凸部１５は、フレキシブルプリント基板６５の配線方向にずらして配置した構成となっている。この構成によって表示ユニット２０の回動の際、フレキシブルプリント基板６５が意図しない屈曲動作をした場合においても樹脂部材によって形成された凸部２５と凸部１５に先当たりする構成となるため、フレキシブルプリント基板６５は収納状態に形状を補正されながら屈曲動作を行うことができる。またフレキシブルプリント基板６５は凸部２５と凸部１５に先当たりする構成の為、フレキシブルプリント基板６５がヒンジユニット３０や外装カバー１３を構成する金属部材に接触する事がなく、フレキシブルプリント基板６５内に配線されるインピーダンスコントロールラインに影響を及ぼすことを防止している。
【実施例２】
【００６３】
以下、図９を参照して、本発明の第二の実施例について説明する。
【００６４】
図９は第二の実施例を説明する断面図である。図９の状態は表示ユニット２０の第一の位置を示している。
【００６５】
金属材料で形成されたアームプレート３２には開口部３３が形成されている。またその開口部３３に対応する位置に、モールド樹脂部材によって成形された背面遮光カバー２４から突出部２５ａが形成されており、フレキシブルプリント基板６５側に対して、アームプレート３２より突出部２５ａが突出した構成となっている。表示ユニット２０の回動動作によって、フレキシブルプリント基板６５に折り癖６５ａが発生し、意図しない屈曲変形をしていても、表示ユニット２０第三の位置から第一の位置の際、モールド樹脂部材によって成形された背面遮光カバー２４の突出部２５ａがフレキシブルプリント基板６５に面によって先当たりする。フレキシブルプリント基板６５に突出部２５ａが当接しながら回動することによって表示ユニット２０の第一の位置（図９の状態）に収納される構成となっている。
【００６６】
さらに背面カバー１３と上部カバー１４の間には開口部１４ａが形成されている。また上部カバー１４を構成するインナー樹脂部材から凸部１５が形成され開口部１４ａから突出した構成となっている。この構成によって表示ユニット２０の回動の際、フレキシブルプリント基板６５が意図しない屈曲動作をした場合においても樹脂部材によって形成された突出部２５ａと凸部１５に先当たりする構成となるため、フレキシブルプリント基板６５は収納状態に形状を補正されながら屈曲動作を行うことができる。またフレキシブルプリント基板６５は突出部２５ａと凸部１５に先当たりする構成の為、フレキシブルプリント基板６５がヒンジユニット３０や外装カバー１３を構成する金属部材に接触する事がなく、フレキシブルプリント基板６５内に配線されるインピーダンスコントロールラインに影響を及ぼすことを防止している。
【００６７】
以上のようなヒンジ機構３０の構成によって、通常撮影・ローアングル撮影・ハイアングル撮影・自分撮り撮影等、それぞれに適した表示ユニットの傾斜状態を構成でき、ヒンジ機構３０の回動動作によって内部を配線するフレキシブルプリント基板６５が挟み込み等による断線を防止し、スムーズな屈曲動作を行うことが可能となる。
【符号の説明】
【００６８】
１  撮影装置、１３  背面カバー、１４  上部カバー、１４ａ  開口部、１５  凸部、
２０  表示ユニット、２１  表示装置、２４  背面遮光カバー、２５  凸部、
２５ａ  突出部、３０  ヒンジ機構、３１  ベースプレート、３１ａ  回動軸、
３２  アームプレート、３３  開口部、６５  フレキシブルプリント基板、
６７  折返し部
【図１】
2017097124.tif 000003
【図２】
2017097124.tif 000004
【図３】
2017097124.tif 000005
【図４】
2017097124.tif 000006
【図５】
2017097124.tif 000007
【図６】
2017097124.tif 000008
【図７】
2017097124.tif 000009
【図８】
2017097124.tif 000010
【図９】
2017097124.tif 000011
【図１０】
2017097124.tif 000012